(57)【特許請求の範囲】
【請求項１】
少なくとも二台の空気調和機本体を備える場合、これら空気調和機本体をそれぞれ対応するワイヤレスリモコンで操作する際の混信による誤動作を防ぐため、前記空気調和機本体および前記ワイヤレスリモコンのカスタムコードの切換えを行なう空気調和機において、
前記空気調和機本体に備えられ前記ワイヤレスリモコンからの信号を受信する信号受信部に、前記カスタムコードの切換えに応じて信号受信音を変更可能な受信音発生手段を備えたことを特徴とする空気調和機。
【発明の詳細な説明】
【０００１】
【発明の属する技術分野】
本発明は、リモコン操作により動作する空気調和機に関する。
【０００２】
【従来の技術】
図２は、従来のこの種の空気調和機の使用状況を示す図である。図２において、Ｒは空気調和機の設置されている部屋を示しており、部屋Ｒ内には空気調和機本体（以下、室内機と称す）Ａと空気調和機本体（以下、室内機と称す）Ｂが所定距離の間隔をもって設置されている。また、部屋Ｒ内にはワイヤレスリモコンａとワイヤレスリモコンｂが備えられている。ワイヤレスリモコンａは室内機Ａを遠隔操作するものであり、ワイヤレスリモコンｂは室内機Ｂを遠隔操作するものである。
【０００３】
【発明が解決しようとする課題】
上述したような室内機Ａを動作させる場合、使用者はワイヤレスリモコンａを操作し、室内機Ｂを動作させる場合、使用者はワイヤレスリモコンｂを操作する。しかし従来では、例えば使用者がワイヤレスリモコンａを操作し、室内機Ａが動作することを意図していたにも拘らず、室内機Ｂが混信により動作してしまうという不具合があった。
【０００４】
このような一部屋に２台の空気調和機を設置した場合の混信による誤動作を防ぐために、所謂カスタムモードの切換えが成されている。この切換えは、各室内機内の所定のプリント基板の一部と各ワイヤレスリモコン内の所定のプリント基板の一部とを改修するものである。これにより、ワイヤレスリモコンａとワイヤレスリモコンｂで発する信号の周波数が異なり、各周波数にそれぞれ室内機Ａと室内機Ｂが反応する。よって、ワイヤレスリモコンａとｂの両方を使用した場合でも混信することなく、それぞれに対応する室内機が動作する。
【０００５】
しかしながら、一部屋で２台の室内機を同時に運転しているときに、使用者が一方のワイヤレスリモコンを操作し、対応する室内機を動作させる場合、実際に所望の室内機が反応しているのか否かを確認することは困難である。また、二つのワイヤレスリモコンは形状その他がほぼ同一であるので、使用しようとするワイヤレスリモコンにていずれの室内機が動作するのか確認することができず、混乱を生ずることがある。
【０００６】
そのため、所定のワイヤレスリモコンを操作する際、そのワイヤレスリモコンに対応する室内機が反応し、動作していることを確実に認識できる空気調和機が望まれている。
【０００７】
本発明の目的は、複数の空気調和機が備えられた室内で、使用するワイヤレスリモコンにより動作する室内機を確実に認識できる空気調和機を提供することにある。
【０００８】
【課題を解決するための手段】
上記課題を解決し目的を達成するために、本発明の空気調和機は以下の如く構成されている。本発明の空気調和機は、少なくとも二台の空気調和機本体を備える場合、これら空気調和機本体をそれぞれ対応するワイヤレスリモコンで操作する際の混信による誤動作を防ぐため、前記空気調和機本体および前記ワイヤレスリモコンのカスタムコードの切換えを行なう空気調和機において、前記空気調和機本体に備えられ前記ワイヤレスリモコンからの信号を受信する信号受信部に、前記カスタムコードの切換えに応じて信号受信音を変更可能な受信音発生手段を備えている。
【０００９】
上記手段を講じた結果、次のような作用が生じる。本発明の空気調和機においては、前記カスタムコードの切換えに応じて信号受信音が変更可能なので、前記カスタムコードが切換えられた空気調和機から発生される受信音と、同室内の他の空気調和機から発生される受信音とが異なることになる。よって使用者は、自身が操作しているワイヤレスリモコンに対応する空気調和機本体が発生する固有の受信音を聞くことで、前記空気調和機本体が動作していることを確認でき、他の空気調和機が混信により誤動作していないことを認識できる。
【００１０】
【発明の実施の形態】
図１は、本発明の実施の形態に係る空気調和機の構成を示すブロック図である。当該空気調和機は空気調和機本体（室内機）とワイヤレスリモコンからなる。なお、二組の空気調和機本体（室内機）とリモコンが、図２に示したと同様部屋Ｒ内に備えられている。以下、この二組を図２に示したと同様、室内機Ａとワイヤレスリモコンａ、室内機Ｂとワイヤレスリモコンｂ、と称す。
【００１１】
室内機ＡおよびＢ内には、図１に示すように信号受信部１０、受信端子１３およびスピーカ１４が備えられている。さらに信号受信部１０には、受信音発生回路１１および信号受信回路１２が備えられている。受信音発生回路１１は、信号受信回路１２を介して受信端子１３に接続されているとともに、スピーカ１４に接続されている。
【００１２】
室内機Ａとワイヤレスリモコンａは上述したようなカスタムコードの変換が予め成されており、室内機Ｂとワイヤレスリモコンｂは成されていない。そして、ワイヤレスリモコンａにて操作が成された場合、ワイヤレスリモコンａから発せられる信号が室内機Ａの受信端子１３を介して信号受信回路１２で受信される。受信音発生回路１１は、信号受信回路１２で信号の受信が成されたことを検知すると、スピーカ１４から短めの受信音を２回（例えば「ピッ、ピッ」）発生させる。この受信音は、カスタムコードの変換が成されたことにより受信音発生回路１１で発生の制御が成される受信音である。
【００１３】
一方、ワイヤレスリモコンｂにて操作が成された場合、ワイヤレスリモコンｂから発せられる信号が室内機Ｂの受信端子１３を介して信号受信回路１２で受信される。受信音発生回路１１は、信号受信回路１２で信号の受信が成されたことを検知すると、スピーカ１４からやや長めの受信音を１回（例えば「ピー」）発生させる。この受信音は、カスタムコードの変換が成されていない通常の設定状態において受信音発生回路１１で発生の制御が成される受信音である。
【００１４】
このように、室内機Ａと室内機Ｂとで、発生する受信音の長さと回数が異なるので、使用者は自身が操作しているワイヤレスリモコンに対応する室内機が反応し、動作していることを確実に認識することができる。また、受信音の長さや回数が異なる以外に、例えば受信音の音色を異なるものにするよう、カスタムコードの変換に応じて各受信音発生回路１１にて制御されるようにすることもできる。
【００１５】
なお、本発明は上記実施の形態のみに限定されず、要旨を変更しない範囲で適時変形して実施できる。
【００１６】
（実施の形態のまとめ）
実施の形態に示された構成および作用効果をまとめると次の通りである。実施の形態に示された空気調和機は、少なくとも二台の空気調和機本体（Ａ，Ｂ）を備える場合、これら空気調和機本体（Ａ，Ｂ）をそれぞれ対応するワイヤレスリモコン（ａ，ｂ）で操作する際の混信による誤動作を防ぐため、前記空気調和機本体（Ａ，Ｂ）および前記ワイヤレスリモコン（ａ，ｂ）のカスタムコードの切換えを行なう空気調和機において、前記空気調和機本体（Ａ，Ｂ）に備えられ前記ワイヤレスリモコン（ａ，ｂ）からの信号を受信する信号受信部（１０）に、前記カスタムコードの切換えに応じて信号受信音を変更可能な受信音発生手段（１１）を備えている。
【００１７】
このように上記空気調和機においては、前記カスタムコードの切換えに応じて信号受信音が変更可能なので、前記カスタムコードが切換えられた空気調和機から発生される受信音と、同室内の他の空気調和機から発生される受信音とが異なることになる。よって使用者は、自身が操作しているワイヤレスリモコンに対応する空気調和機本体が発生する固有の受信音を聞くことで、前記空気調和機本体が動作していることを確認でき、他の空気調和機が混信により誤動作していないことを認識できる。
【００１８】
【発明の効果】
本発明によれば、複数の空気調和機が備えられた室内で、使用するワイヤレスリモコンにより動作する室内機を確実に認識できる空気調和機を提供できる。
【図面の簡単な説明】
【図１】本発明の実施の形態に係る空気調和機の構成を示すブロック図。
【図２】本発明の実施の形態および従来例に係る空気調和機の使用状況を示す図。
【符号の説明】
Ａ…空気調和機本体（室内機）
Ｂ…空気調和機本体（室内機）
ａ…ワイヤレスリモコン
ｂ…ワイヤレスリモコン
Ｒ…部屋
１０…信号受信部
１１…受信音発生回路
１２…受信回路
１３…受信端子
１４…スピーカ
【図１】
0003540492.tif 000002
【図２】
0003540492.tif 000003